(57)【要約】      （修正有）【課題】機械式スイッチと同等の感触を得ることができ、目視確認しなくても入力操作可能な表示装置を提供する。【解決手段】表示装置は、ストレッチャブルディスプレイ１２と、ストレッチャブルディスプレイの表示面側から操作可能に配置された機械式スイッチ１３と、を備える。機械式スイッチは、行列状に配列された、ラバードームを有する複数の押下スイッチである。ストレッチャブルディスプレイの表面側から機械式スイッチを操作するので、機械式スイッチの操作感を得ることができる。【選択図】図１
2020102065.tif 000002
【特許請求の範囲】
【請求項１】
ストレッチャブルディスプレイと、
前記ストレッチャブルディスプレイの表示面側から操作可能に配置された機械式スイッチと、を備えることを特徴とする表示装置。
【請求項２】
前記機械式スイッチは、行列状に配列された複数の押下スイッチであることを特徴とする請求項１に記載の表示装置。
【請求項３】
前記機械式スイッチは、ラバードームを有するスイッチであることを特徴とする請求項１または２に記載の表示装置。
【請求項４】
前記ストレッチャブルディスプレイと前記機械式スイッチとの間に、アクチュエーター層を備え、
前記アクチュエーター層は、
同一平面上に配置された複数のプレートと、
前記複数のプレートを定められた単位ごとに拘束し、または、解放する駆動素子と、を備えることを特徴とする請求項１から３のいずれか１項に記載の表示装置。
【請求項５】
前記プレートは略矩形形状を有し、隣接するものの辺同士が嵌合構造を有することを特徴とする請求項４に記載の表示装置。
【請求項６】
前記嵌合構造は、凹凸の嵌合構造であることを特徴とする請求項５に記載の表示装置。
【請求項７】
前記駆動素子は、高分子アクチュエーター、または、機械アクチュエーターまたはこれらの組み合わせであることを特徴とする請求項４から６のいずれか１項に記載の表示装置。
【請求項８】
前記機械式スイッチは、スライド式、ダイアル式、または、レバー式スイッチのいずれか１のスイッチ、または、いずれかの組み合わせであることを特徴とする請求項１に記載の表示装置。
【請求項９】
前記機械式スイッチの下方に、前記機械式スイッチをストレッチャブルディスプレイに向かって伸縮させる、伸縮ユニットを有することを特徴とする請求項８に記載の表示装置。
【請求項１０】
ストレッチャブルディスプレイと、
該ストレッチャブルディスプレイの表示面側から操作可能に配置された感圧層と、
前記ストレッチャブルディスプレイの一部を変形させるように伸縮させる複数の伸縮ユニットと、を備えることを特徴とする表示装置。
【請求項１１】
前記感圧層は同一平面上に配置された複数の感圧素子で構成されることを特徴とする請求項１０に記載の表示装置。
【請求項１２】
前記伸縮ユニットは、それぞれ、前記感圧素子のそれぞれに対応して複数配置されていることを特徴とする請求項１１に記載の表示装置。
【請求項１３】
前記伸縮ユニットの上方、かつ、前記ストレッチャブルディスプレイの下に位置し、前記ストレッチャブルディスプレイに対して伸縮自在に駆動される複数のピンを備えたピン構造を備えることを特徴とする請求項１０から１２のいずれか１項に記載の表示装置。
【請求項１４】
前記伸縮ユニットは、高分子アクチュエーターであることを特徴とする請求項９から１３のいずれか１項に記載の表示装置。
【請求項１５】
前記伸縮ユニットは、
第１電極と、
該第１電極に接続される導電性高分子と、
該導電性高分子を中央に位置させて離間して配置される円筒状の第２電極と、
前記導電性高分子と、前記第２電極を含む空間を覆うラバーフィルムと、
前記ラバーフィルムで覆われた空間に満たされる電解液と、
前記ラバーフィルムを覆う上部に開口部を有する硬質のカバーを備えることを特徴とする請求項９から１４のいずれか１項に記載の表示装置。
【請求項１６】
前記ストレッチャブルディスプレイは、
一の方向に延びる軸線の周りに螺旋状に巻回された導体配線を備えた複数の伸縮配線と、
複数の表示素子と、
前記伸縮配線と前記表示素子が埋設された、伸縮性を備える基板と、を備え、
前記伸縮配線は前記表示素子に接続されていることを特徴とする請求項１から１５のいずれか１項に記載の表示装置。
【請求項１７】
前記表示素子は、ＬＥＤであることを特徴とする請求項１６に記載の表示装置。
【発明の詳細な説明】
【技術分野】
【０００１】
本発明は、表示装置に関する。
【背景技術】
【０００２】
近年、タブレット、スマートフォン等のモバイル機器、ノート型のパーソナルコンピューター、カーナビゲーターなどにおいて、表示機能と入力機能とを兼用するタッチセンサを備えた表示装置が普及している。表示装置にタッチセンサが搭載されることにより、様々なアプリケーションにおける入力機構を画面上に自由に構成することが可能となっている。
しかし、タッチセンサは、キーボードやトグルスイッチ、つまみなどの機械式スイッチとは異なり、凹凸がなく、機械的な上下左右の動きやバネやラバーなどによる反発が伴わない。そのため、スイッチを操作するとき、スイッチの位置をその都度目視で確認することが必要であり、カーナビゲーター等の車載ディスプレイに望ましい、指の感覚を操作の補助として利用することができないという問題がある。
【０００３】
特許文献１では、タッチセンサのタッチ面において、指による押圧荷重をモニターし、タッチ面に対して押圧荷重に基づいた周波数の振動を与え、押しボタンスイッチを操作した場合と近似したクリック触感を呈示できる入力装置を開示している。しかしながら、特許文献１に記載された方法で指先に振動を与えたとしても、実際の凹凸感や、スイッチを押し込んだ感触までは再現するのが難しいという問題がある。
【先行技術文献】
【特許文献】
【０００４】
【特許文献１】特開２０１１−３４１４８号公報
【発明の概要】
【発明が解決しようとする課題】
【０００５】
本発明が解決しようとする課題は、機械式スイッチと同等の感触を得ることができ、目視確認しなくても入力操作可能な表示装置を提供することである。
【課題を解決するための手段】
【０００６】
本発明は、上記課題を解決するため、以下の手段を採用する。
すなわち、本発明の表示装置は、ストレッチャブルディスプレイと、前記ストレッチャブルディスプレイの表示面側から操作可能に配置された機械式スイッチと、を備えることを特徴とする。
上記のような構成によれば、ストレッチャブルディスプレイの表面側から機械式スイッチを操作するので、機械式スイッチの操作感を得ることができる。
【０００７】
本発明の一態様においては、前記機械式スイッチは、行列状に配列された複数の押下スイッチであることを特徴とする。
このような構成によれば、表示面から操作可能なある自由度をもった入力装置を備えた表示装置を実現できる。
【０００８】
本発明の一態様においては、前記機械式スイッチは、ラバードームを有するスイッチであることを特徴とする。
このような構成によれば、表示装置上でキーボード等と近似の操作感をもつ入力装置を備えた表示装置を実現できる。
【０００９】
本発明の一態様においては、前記ストレッチャブルディスプレイと前記機械式スイッチとの間に、アクチュエーター層を備え、前記アクチュエーター層は、同一平面上に配置された複数のプレートと、前記複数のプレートを定められた単位ごとに拘束し、または、解放する駆動素子と、を備えることを特徴とする。
このような構成によれば、スイッチの押圧面を任意に構成することができ、スイッチ構成の自由度が向上する。
【００１０】
本発明の一態様においては、前記プレートは略矩形形状を有し、隣接するものの辺同士が嵌合構造を有することを特徴とする。
このような構成によれば、押圧面を任意に構成したスイッチを、容易に簡素に構成することができる。
【００１１】
本発明の一態様においては、前記嵌合構造は、凹凸の嵌合構造であることを特徴とする。
このような構成によれば、目的の嵌合構造を構成することができる。
【００１２】
本発明の一態様においては、前記駆動素子は、高分子アクチュエーター、または、機械アクチュエーターまたはこれらの組み合わせであることを特徴とする。
このような構成によれば、上記のような表示装置を適切に実現可能である。
【００１３】
本発明の一態様においては、前記機械式スイッチは、スライド式、ダイアル式、または、レバー式スイッチのいずれか１のスイッチ、または、いずれかの組み合わせであることを特徴とする。
このような構成によれば、多種多様なスイッチ操作が可能な表示装置を提供できる。
【００１４】
本発明の一態様においては、前記機械式スイッチの下方に、前記機械式スイッチをストレッチャブルディスプレイに向かって伸縮させる、伸縮ユニットを有することを特徴とする。
このような構成によれば、スイッチ入力の必要なときだけ、スイッチ類をストレッチャブルディスプレイにむけて突出させることができる。
【００１５】
また、本発明の表示装置は、ストレッチャブルディスプレイと、該ストレッチャブルディスプレイの表示面側から操作可能に配置された感圧層と、前記ストレッチャブルディスプレイの一部を変形させるように伸縮させる複数の伸縮ユニットと、を備えることを特徴とする。
このような構成によれば、画面下のスイッチを突出させることができ、入力操作が容易となる。
【００１６】
本発明の一態様においては、前記感圧層は同一平面上に配置された複数の感圧素子で構成されることを特徴とする。
このような構成によれば、画面からの入力を効率よく感知できるようにできる。
【００１７】
本発明の一態様においては、前記伸縮ユニットは、それぞれ、前記感圧素子のそれぞれに対応して複数配置されていることを特徴とする。
このような構成によれば、各伸縮ユニットに対応した入力を感知できるようにできる。
【００１８】
本発明の一態様においては、前記伸縮ユニットの上方、かつ、前記ストレッチャブルディスプレイの下に位置し、前記ストレッチャブルディスプレイに対して伸縮自在に駆動される複数のピンを備えたピン構造を備えることを特徴とする。
このような構成によれば、各伸縮ユニットごとにピンのパターンに差異をつけることができる。
【００１９】
本発明の一態様においては、前記伸縮ユニットは、高分子アクチュエーターであることを特徴とする。
このような構成によれば、上記のような表示装置を適切に実現可能である。
【００２０】
本発明の一態様においては、前記伸縮ユニットは、第１電極と、該第１電極に接続される導電性高分子と、該導電性高分子を中央に位置させて離間して配置される円筒状の第２電極と、前記導電性高分子と、前記第２電極を含む空間を覆うラバーフィルムと、前記ラバーフィルムで覆われた空間に満たされる電解液と、前記ラバーフィルムを覆う上部に開口部を有する硬質のカバーを備えることを特徴とする。
このような構成によれば、上記のような表示装置を適切に実現可能である。
【００２１】
本発明の一態様においては、前記ストレッチャブルディスプレイは、一の方向に延びる軸線の周りに螺旋状に巻回された導体配線を備えた複数の伸縮配線と、複数の表示素子と、前記伸縮配線と前記表示素子が埋設された、伸縮性を備える基板と、を備え、前記伸縮配線は前記表示素子に接続されていることを特徴とする。
このような構成によれば、上記のような表示装置を適切に実現可能である。
【００２２】
本発明の一態様においては、前記表示素子は、ＬＥＤであることを特徴とする。
このような構成によれば、上記のような表示装置を適切に実現可能である。
【発明の効果】
【００２３】
本発明によれば、機械式スイッチと同等の感触を得ることができ、目視確認しなくても入力操作可能な表示装置を提供することができる。
【図面の簡単な説明】
【００２４】
【図１】本発明の第１実施形態における表示装置の、（ａ）は表示装置を搭載したカーナビゲーター、（ｂ）は拡大平面図、（ｃ）は側断面図である。
【図２】図１のストレッチャブルディスプレイに備えられているＬＥＤマトリックスの模式図である。
【図３】図１のセンサー基板の模式図である。
【図４】本発明の第１実施形態におけるストレッチャブルディスプレイの構造を説明するための図であって、（ａ）は、機械式スイッチ１個分の平面図、（ｂ）は（ａ）の側面図、（ｃ）は（ａ）の拡大平面図、（ｄ）は（ｂ）の拡大断面図、（ｅ）は（ｄ）の拡大断面図、（ｆ）は（ｅ）のＬＥＤデバイスの模式的回路図である。
【図５】本発明の第１実施形態を示す模式図である。
【図６】本発明の第２実施形態における表示装置の、（ａ）は拡大断面図、（ｂ）は（ａ）のアクチュエーター層の斜視図、（ｃ）は（ａ）のアクチュエーター層を駆動している図である。
【図７】アクチュエーター層で利用されている導電性高分子の性質を説明するための図である。
【図８】本発明の第３実施形態における表示装置の、（ａ）は拡大断面図、（ｂ）は（ａ）の伸縮ユニットの配列の模式的な斜視図である。
【図９】図８（ａ）の拡大断面図である。
【図１０】本発明の第３実施形態における伸縮ユニットが突出動作をしている図である。
【図１１】本発明の第３実施形態の変形例を示す図である。
【図１２】本発明の第４実施形態を示す図である。
【図１３】本発明の第４実施形態の変形例を示す図である。
【発明を実施するための形態】
【００２５】
以下、本発明の実施形態について図面を参照して詳細に説明する。
（第１実施形態）
図１（ａ）は、第１実施形態におけるカーナビゲーター１０の表示装置１１を示しており、図１（ｂ）は、図１（ａ）画面１１の矩形部Ａの拡大平面図であり、図１（ｃ）は、図１（ｂ）の側断面図である。
表示装置１１は、ストレッチャブルディスプレイ１２と、ストレッチャブルディスプレイ１２の表面側から操作可能に配置されたラバードーム式の機械式スイッチ１３を備えている。本発明におけるストレッチャブルディスプレイとは、少なくとも一部が伸縮可能である。また、本実施形態においてラバードームとは、キーを押し戻す力を与える部材であり、押したときの触感を調整することができる。機械式スイッチ１３はセンサー基板１４上に配列されている。ストレッチャブルディスプレイ１２は、ＬＥＤマトリックス１５を備えている。
図２は、図１のストレッチャブルディスプレイ１２に備えられているＬＥＤマトリックス１５の模式図である。ＬＥＤマトリックス１５は、１画素あたり、ＬＥＤ画素２１とＭＯＳゲート２２を備えた複数の画素の配列で構成されており、各画素のＭＯＳゲート２２のゲート電極にＸゲートライン２３が、ソース電極にＹソースライン２４が接続されている。各ＬＥＤ画素２１は、一端をＭＯＳゲート２２のドレイン電極に、他端を共通電極２５に接続されている。各ＬＥＤ画素２１は、一端に接続されているＭＯＳゲート２２がＸゲートライン２３によってオン状態になると、それぞれのＭＯＳゲート２２のソース電極に接続されているＹソースライン２４の電圧レベルで制御されてＬＥＤ画素２１を点灯させる。
【００２６】
図３は、図１に示すセンサー基板１４の模式図である。センサー基板１４上では、１個のラバードーム式の機械式スイッチ１３に、１個の単位ユニット３１が対応しており、単位ユニット３１は、機械式スイッチ１３の押圧の力を反映する可変抵抗３２と可変抵抗３２の一端に接続される電源３３と、可変抵抗３２の他端に接続されるＭＯＳゲート３４を備えている。基本単位ユニット３１は、センサー基板１４上に機械式スイッチ１３の配列に対応して配置されている。センサー基板１４は、複数の単位ユニット３１の配列の端部にシフトレジスター３５と検出回路３６を備えている。各単位ユニット３１には、シフトレジスター３５に制御される複数のＸ信号ライン３７が、各単位ユニット３１のＭＯＳゲート３４のゲート電極に接続され、各ＭＯＳゲート３４のソース電極が複数のＹ信号ライン３８を介して検知回路３６に接続されている。
【００２７】
機械式スイッチ１３の押圧の力を反映する可変抵抗３２は、スイッチが押されると低抵抗となり、スイッチが押されていないときは高抵抗となる。シフトレジスター３５は、Ｘ信号ライン３７を順次ＭＯＳゲート３４がオンする電圧で、図示しない制御クロックに基づいてスキャンする。具体的には例えば、Ｘ１から順次Ｘ２、Ｘ３、・・・と一定時間オン電圧を与えその後オフ状態となるパルスをＸ信号ライン３７に与える。
任意のＸn（ｎ＝１、２、・・・）がオン電圧となるとき、該当するＸ信号ライン３７に接続されているＭＯＳゲート３４がオン状態となり、オン状態となったＭＯＳゲート３４に対応する機械式スイッチ１３が押圧されているときは可変抵抗３２は低抵抗となり、ＭＯＳゲート３４のソース電極に電源３３の電圧レベルが印可され対応するＹ信号ライン３８を介して論理“Ｈ”が検知回路３６に送信され、検知回路３６は、該当する機械式スイッチが押圧されていることを検知する。
機械式スイッチ１３が押圧されていないときは可変抵抗３２は高抵抗となり、ＭＯＳゲート３４のソース電極には電源３３の電圧レベルが印可されず対応するＹ信号ライン３８は、例えば論理“Ｌ”の電圧レベルをイニシャル値として検知回路３６により与えられており、この場合はＹ信号ライン３８を介して論理“Ｌ”が検知回路３６に送信され、検知回路３６は、該当する機械式スイッチが押圧されていないことを検知する。
なお、ここでは図示していないが、制御用素子などによる信号処理により、ＯＮ／ＯＦＦの閾値や感度などを変更しても良い。また、本実施形態においては、機械式スイッチ１３の状態を検知するために可変抵抗３２を採用しているが、これに限定されず、単純にＯＮ／ＯＦＦ状態を検知するスイッチ素子を使用することも可能である。
【００２８】
図４を参照して、ストレッチャブルディスプレイ１２について説明する。図４（ａ）は、ストレッチャブルディスプレイ１２の機械式スイッチ１３の１個分の拡大平面図で、図４（ｂ）は図４（ａ）の側面図である。図４（ｃ）は、図４（ａ）の矩形部Ｂの拡大平面図である。図４（ｄ）は、図４（ｂ）の矩形部Ｃの拡大断面図で、図４（ｅ）は、図４（ｄ）の矩形部Ｄの拡大断面図でＬＥＤデバイス１個を示している。図４（ｆ）は、図４（ｅ）のＬＥＤデバイスの模式的回路図を表している。
ストレッチャブルディスプレイ１２は、その本体の基板４１が、エラストマーなどの延伸性と弾性復元力を持ったフィルム状の材料で構成され、この基板４１の中にＬＥＤ素子４２がマトリックス状に配置され、埋設されている。それぞれのＬＥＤ素子４２は、伸縮自在ならせん状の導体配線４３で、連結され表示装置として必要な信号を供給されている。
【００２９】
個々のＬＥＤ素子４２は、ＲＧＢの発光ダイオードチップ４４−１、４４−２、４４−３とリフレクタ４５を備え、スイッチング回路部４６によってその発光を制御される。発光ダイオードチップ４４−１、４４−２、４４−３を含む模式的な回路は、図４（ｆ）に示されるように、共通電極Ｍと４４−１、４４−２、４４−３のスイッチングに寄与する電極Ｒ、Ｇ、Ｂを備え、これらの電極の接続がスイッチング回路部４６によって制御されている。
【００３０】
上述したように、図１、図４に示されているストレッチャブルディスプレイ１２は、その本体の基板４１をエラストマーなどの延伸性と弾性復元力を持った材料で構成されている。このストレッチャブルディスプレイ１２は、図５に示すように、人間の指５０などでその表面から押圧すると、その加えられた力の方向に従って、伸縮変形することができ、ストレッチャブルディスプレイ１２の背後に配列された機械式スイッチを押すことが可能である。この動作により、指は物理的な上下方向に押し込む感覚と、機械式スイッチ１３によるクリック触感を得ることができる。この作用により、本実施例の表示装置１１は、タッチパネル式の表示装置と同等のスイッチ構成の自由度に加え、タッチパネル式表示装置では得られないスイッチの操作感覚を得ることができる。
本実施形態では、機械式スイッチ１３をラバードーム式として説明しているがこれに限定されず、バネ式のスイッチなど、上下に可動する機械式スイッチであれば、いずれのスイッチでも実施することができる。
【００３１】
（第２実施形態）
次に、図６、図７を参照して、本発明の第２実施形態について説明する。本実施形態においては、上記第１実施形態と共通する構成については、図中に同符号を付してその説明を省略する。
図６（ａ）は、本実施形態に係る表示装置６０の拡大断面図である。表示装置６０は、ストレッチャブルディスプレイ１２と、機械式スイッチ１３と、センサー基板１４を備え、ストレッチャブルディスプレイ１２と機械式スイッチ１３との間に、アクチュエーター層６１を備えている。アクチュエーター層６１は、同一平面上に配置された複数のプレート６２と駆動素子６３を備えている。複数のプレート６２は、その一端に凸部６２−１、他端に凹部６２−２を備える嵌合構造を有している。駆動素子６３は、その上下に薄いラバー層６４を備え、導電性高分子層６６が電解液層６５でサンドイッチされて構成されている。図６（ｂ）は図６（ａ）のアクチュエーター層６１の斜視図を示しており、アクチュエーター層の同一平面上に配置された複数のプレート６２と駆動素子６３が示されている。
【００３２】
図７を参照して、この駆動素子６３における導電性高分子層６６の性質について説明する。図７（ａ）、図７（ｂ）では、ビーカー７１に電解液７２が満たされ、ビーカー７１内では、電極７３と導電性高分子７４が、電解液７２に浸されている。図７（ａ）は、導電性高分子７４に対して、プラス電圧を印加している状態を示しており、図７（ｂ）は、マイナス電圧を印加している状態を示している。導電性高分子７４は、プラス電圧を印加されると電解液からマイナスイオン７５を取り込んで、膨張する。逆に、導電性高分子７４は、マイナス電圧を印加されると電解液にマイナスイオン７５を放出し、収縮する。
【００３３】
上記性質を利用した本実施形態の高分子アクチュエーターは、図６の駆動素子６３に、機械式スイッチ１３ごとに、上下ラバー層６４に隣接する電極を設け、（図示せず）任意の区画のサンドイッチされた導電性高分子層６６に対してマイナス電圧を印加すると、導電性高分子層６６は収縮し、同一平面上に配置された複数のプレート６２は、図６（ｃ）の区画Ｓで示されているように、その区画Ｓでひとかたまりに拘束される。その際、複数のプレート６２は、凹凸の嵌合構造を有しているので、拘束された区画において、あるひとかたまりの大きさのスイッチを構成することができる。すなわち、入力装置として、大きさの違うスイッチを、指の感触で認知可能に任意の位置に形成することができ、種々のアプリケーションの入力装置としての自由度を向上することができる。ストレッチャブルディスプレイ１２と、機械式スイッチ１３と、センサー基板１４の構成動作については、上記第１実施例と同様の構成を有し、同様の効果を奏することができる。
尚、本実施形態では、駆動素子６３として高分子アクチュエーターを利用しているが、これに限定されず、複数のプレート６２を拘束、解放可能な機構を有する機械アクチュエーターで構成しても良い。
【００３４】
（第３実施形態）
次に、図８〜図１０を参照して、本発明の第３実施形態について説明する。本実施形態においては、上記第１および第２実施形態と共通する構成については、図中に同符号を付してその説明を省略する。図８（ａ）は、本実施形態の拡大断面図である。本実施形態に係る表示装置８０は、ストレッチャブルディスプレイ１２と伸縮ユニット８１の配列８２と感圧層８３を備えている。伸縮ユニット８１の配列８２は、ストレッチャブルディスプレイ１２と感圧層８３の間に伸縮ユニット８１がマトリックス状に配置されており、各伸縮ユニット８１はストレッチャブルディスプレイ１２の一部を変形させるように伸縮することができる。但し、“伸縮”とは、“伸長”もしくは“収縮”のいずれか一方だけでも良く、両方でも良い。この伸縮によって、ストレッチャブルディスプレイ１２の一部を突出させ、または、元の位置に戻すことが可能となる。
【００３５】
図８（ｂ）は、本実施形態のマトリックス状に配置された伸縮ユニット８１の配列８２の模式的な斜視図である。各伸縮ユニット８１は共通電極８４と各伸縮ユニットを制御するためのＭＯＳゲート８５のドレイン電極に接続されている。各伸縮ユニット８１のＭＯＳゲート８５は、ゲート電極をＸ信号ライン８６にソース電極をＹ信号ライン８７に接続されている。伸縮ユニットは第２実施形態で使用されている導電性高分子の性質を利用して伸縮動作を行うことができ、Ｘ信号ライン８６とＹ信号ライン８７によって選択されてその伸縮状態を設定される。
【００３６】
図９は図８（ａ）の拡大断面図である。伸縮ユニット８１は、第１電極９１と、第１電極９１に接続される導電性高分子９２と、導電性高分子９２を中央に位置させて離間して配置される円筒状の第２電極９３と、導電性高分子９２と、第２電極９３を含む空間を覆うラバーフィルム９４と、ラバーフィルム９４で覆われた空間に満たされる電解液９５と、ラバーフィルム９４を覆う上部に開口部を有する硬質のカバー９６を備えている。
また、各伸縮ユニット８１は、ＭＯＳゲート８５のドレイン電極に接続されており、ＭＯＳゲート８５は、ゲート電極９７−１、ゲート絶縁膜９７−２、ソース電極９７−３、ドレイン電極９７−４、および、半導体９７−５を備えている。
伸縮ユニット８１の円筒状の第２電極９３は、図８（ｂ）における共通電極８４（図示せず）に接続されており、ＭＯＳゲート８５のドレイン電極９７−４によって導電性高分子９２に電圧を印可し、前述の第２実施形態で説明した導電性高分子の性質を利用して伸縮状態を設定する。
【００３７】
感圧層８３には、各伸縮ユニット８１に対応する感圧素子９８が設けられており、感圧素子９８は、対向電極９８−１、感圧層９８−２、画素電極９８−３、ポスト電極９８−４、および、ドレイン電極９８−５、ソース電極９８−６、半導体９８−７、ゲート絶縁膜９８−８、ゲート電極９８−９で構成されるＭＯＳゲート９９を備えている。
ストレッチャブルディスプレイ１２の上面に加えられた圧力は、伸縮ユニット８１を介して感圧素子９８に伝えられ、感圧素子９８は、加えられた圧力に応じて抵抗値が変化する感圧層９８−２の抵抗値に基づき、前述の図３で説明した機械式スイッチ１３のオン／オフを検知するセンサー基板１４の方法と同様の動作で、伸縮ユニットが押されているか押されていないかを検知する。
【００３８】
上述したように、伸縮ユニット８１は、任意の伸縮ユニット８１をストレッチャブルディスプレイ１２に対して突出させることができるので、種々のアプリケーションにおける入力装置として、表示装置８０を用いる場合、該当するスイッチの部分を図１０の１００の部分に示すごとく突出させることによって、スイッチの所在をその凸形状で強調することが可能となり、ストレッチャブルディスプレイ１２のスイッチの表示と共にその凸部によって、指の触感をスイッチ操作の補助に使用できる。例えば、ドライブナビゲーターの画面にこのスイッチの構成を採用することにより、運転中の視界を確保しつつ、指の触感によるドライブナビゲーターへの入力が可能となるという好適な効果を奏する。
本実施形態では、ストレッチャブルディスプレイ１２と感圧層８３の間に伸縮ユニット８１の配列８２が配置されているが、これに限定されず、ストレッチャブルディスプレイ１２と伸縮ユニット８１の配列８２の間に感圧層８３を配置するように構成しても良い。この場合は、感圧層８３もストレッチャブルディスプレイ１２と同様に少なくとも一部が伸縮可能となるように構成される。
【００３９】
（第３実施形態の変形例）
図１１に第３実施形態の変形例を示す。図１１に示されているのは、伸縮ユニット８１の上端部分にさらに備えられる伸縮自在に駆動される複数のピン１１１を備えたピン構造１１０で、図１１（ａ）がピンが出ていない状態で、図１１（ｂ）がピンが出ている状態を示している。この複数のピンによって種々の凹凸のパターンを伸縮ユニット８１の上端部分に設定することにより、スイッチとして複数突出させた伸縮ユニットに割り当てられるスイッチをそれぞれ別の触感によって区別することが可能となる。例えば凹凸のパターンとして点字を表現しても良い。複数のピン１１１を備えたピン構造１１０の具体例としては、失明したコンピュータユーザーのために開発された点字ディスプレイ等で使用されているピン構造の出力装置をあげることができる。
【００４０】
（第４実施形態）
図１２に第４実施形態の表示装置１２０ａ、１２０ｂ、１２０ｃを示す。ストレッチャブルディスプレイ１２の表面側から操作可能に配置される機械式スイッチは、図１２（ａ）に示すように、スライド式のものであっても、図１２（ｂ）に示すようにダイアル式のものであっても、図１２（ｃ）に示すようにレバー式のものであってもよい。またこれらを組み合わせて、アプリケーションの入力装置として最適のものを任意に選択することができる。
【００４１】
（第４実施形態の変形例）
図１３に第３実施形態の変形例を示す。図１３に示されている表示装置１３０は、上述した機械式スイッチ１３１の下部に、機械式スイッチ１３１をストレッチャブルディスプレイ１２に向かって伸縮させる、伸縮ユニット１３２を備えている。図１３は、機械式スイッチを使用しない状態を示しており、機械式スイッチ１３１は、ストレッチャブルディスプレイ１２を平面に保って隠されている。アプリケーション等でこのスイッチを使用する際には、伸縮ユニット１３２をストレッチャブルディスプレイ１２にむけて突出させ、図１２に示すように、その存在を目立たせるようにする。このことにより、機械式スイッチ１３１を使用しないときは、表示装置１３０を通常のディスプレイとして使用でき、表示装置１３０を様々な用途に使えるようになる。但し、伸縮ユニット１３２の“伸縮”とは、“伸長”もしくは“収縮”のいずれか一方だけでも良く、両方でも良い。
【符号の説明】
【００４２】
１１、６０、８０、１２０ａ、１２０ｂ、１２０ｃ、１３０  表示装置
１２          ストレッチャブルディスプレイ
１３          機械式スイッチ
４１          基板
４２          ＬＥＤ素子
４３          らせん状の導体配線
４４−１、４４−２、４４−３  発光ダイオードチップ
６１          アクチュエーター層
６２          プレート
６２−１      凸部
６２−３      凹部
６３          駆動素子
６６          導電性高分子層
７４          導電性高分子
８１          伸縮ユニット
８２          伸縮ユニット８１の配列
８３          感圧層
９１          第１電極
９２          導電性高分子
９３          第２電極
９４          ラバーフィルム
９５          電解液
９６          硬質のカバー
９８          感圧素子
１１０          ピン構造
１１１          ピン
１３１          機械式スイッチ
１３２          伸縮ユニット
【図１】
2020102065.tif 000003
【図２】
2020102065.tif 000004
【図３】
2020102065.tif 000005
【図４】
2020102065.tif 000006
【図５】
2020102065.tif 000007
【図６】
2020102065.tif 000008
【図７】
2020102065.tif 000009
【図８】
2020102065.tif 000010
【図９】
2020102065.tif 000011
【図１０】
2020102065.tif 000012
【図１１】
2020102065.tif 000013
【図１２】
2020102065.tif 000014
【図１３】
2020102065.tif 000015